(57)【要約】【課題】建物の壁などに設けられる引き戸枠の中方立構造において、加工が容易で、製造コストを低減することができるだけでなく、小さなトルクで広い範囲に隙間調整部材を動かすことができるコンパクトで取り扱いが容易な引き戸の中方立構造を提供する。【解決手段】隙間調整部材６には、隙間調整部材６の出没方向に沿ったラック部６ｄを有する長孔６ｃが形成されており、中方立部材５には、長孔６ｃに対応した挿入孔５ｂが形成され、挿入孔５ｂには長孔６ｃに挿通されて長孔６ｃのラック部６ｄに噛合するピニオン部７ａを有する回動調節部材７が設けられている。【選択図】図３
2009127321.tif 000002
【特許請求の範囲】
【請求項１】
引き戸をスライド可能に保持する引き戸枠の中間部で上下方向に配設され、上記引き戸に対向する側を開口させた収納溝を上下方向に沿って形成した中方立部材と、この中方立部材に応じた長さ寸法を有し、上記収納溝に出没可能に収納される隙間調整部材とを備えた引き戸の中方立構造であって、
上記隙間調整部材には、隙間調整部材の出没方向に沿ったラック部を有する長孔が形成されるとともに、
上記中方立部材には、上記長孔に対応した挿入孔が形成され、さらに該挿入孔には上記長孔に挿通されて長孔のラック部に噛合するピニオン部を有する回動調節部材が設けられており、
上記挿入孔に挿入した回動調節部材を回動させることにより、上記隙間調整部材を上記中方立部材の上記収納溝より出没させて、上記引き戸と上記中方立部材との隙間を調整するようにしたことを特徴とする引き戸の中方立構造。
【請求項２】
請求項１において、
上記隙間調整部材は、合成樹脂の押し出し成型品であり、
上記長孔は、上記隙間調整部材を打ち抜いて形成されている引き戸の中方立構造。
【請求項３】
請求項２において、
上記隙間調整部材は、横断面が略Ｔ字状に成型され、この略Ｔ字状の横辺の中央にモヘアが形成され、縦辺に上記長孔が形成されている引き戸の中方立構造。
【請求項４】
請求項１乃至３のいずれか１項において、
上記隙間調整部材は、それぞれ合成樹脂からなるモヘアと調整部材ベースとを備え、これらモヘアと調整部材ベースとが一体成型されている引き戸の中方立構造。
【請求項５】
請求項１ないし請求項４のいずれか１項において、
上記回動調節部材は、ドライバーの先端に係合可能なネジ頭を備え、ドライバーにより、回動可能にされている引き戸の中方立構造。
【発明の詳細な説明】
【技術分野】
【０００１】
本発明は、例えば建物の壁などに設けられる引き戸枠に使用される引き戸の中方立構造の改良に関する。
【背景技術】
【０００２】
一般に、建物の窓などに設けられる引き戸枠には、引き戸枠の開口部と壁部との仕切り部分に、いわゆる引き戸の中方立構造が上下方向に配設されている。近年、このような中方立構造として、引き戸に対向する側に開口する収納溝が上下方向に沿って形成された中方立部材と、この中方立部材の収納溝に出没可能に収納される隙間調整部材とを備えたものが種々開発されている。
【０００３】
例えば、特許文献１には、中方立の前端部垂直方向略全長に引き戸本体表面に対し略直角方向で進退自在となるフィラー部材を設け、カム材を回動させて該フィラー部材を進退させる片引き戸が開示され提案されている。
【０００４】
また、特許文献２には、方立てと引き戸との間の隙間を塞ぐ隙間封止部材が方立ての溝内から出没自在に設けられ、ネジとくの字上の弾性プレートを用いて引き戸の対向面に垂直な側面からの操作により隙間封止部材を出没させて隙間を調整するように構成された引き戸の隙間閉塞構造が開示され提案されている。
【特許文献１】特開２００２−１３８７７１号公報
【特許文献２】特開２００２−２５０１８０号公報
【発明の開示】
【発明が解決しようとする課題】
【０００５】
しかしながら、上述の特許文献１に開示された片引き戸では、隙間調整部材であるフィラー部材を広い範囲に動かそうとすると大きな径のカム材などの回動調節部材が必要になり、またこの回動調節部材を回動させるために大きなトルクが必要になる。
【０００６】
同様に、上述の特許文献２に開示された引き戸の隙間閉塞構造でも、隙間調整部材である隙間封止部材を広い範囲に動かそうとするとネジとくの字状の弾性プレートを大きくする必要があり装置が大型化する。
【０００７】
また、弾性プレートと隙間封止部材周りの加工が容易でなく、製造コストを低減するのに限界があった。
【０００８】
本発明は上記事情に鑑みてなされたものであり、加工が容易であり、製造コストを低減することができるだけでなく、特に、小さな径の回動調節部材であっても小さなトルクで広い範囲に隙間調整部材を動かすことができるコンパクトで取り扱いが容易な引き戸の中方立構造を提供することを目的としている。
【課題を解決するための手段】
【０００９】
上記目的を解決するために、請求項１に記載の引き戸の中方立構造は、引き戸をスライド可能に保持する引き戸枠の中間部で上下方向に配設され、上記引き戸に対向する側を開口させた収納溝を上下方向に沿って形成した中方立部材と、この中方立部材に応じた長さ寸法を有し、上記収納溝に出没可能に収納される隙間調整部材とを備えた引き戸の中方立構造であって、上記隙間調整部材には、隙間調整部材の出没方向に沿ったラック部を有する長孔が形成されるとともに、上記中方立部材には、上記長孔に対応した挿入孔が形成され、さらに該挿入孔には上記長孔に挿通されて長孔のラック部に噛合するピニオン部を有する回動調節部材が設けられており、上記挿入孔に挿入した回動調節部材を回動させることにより、上記隙間調整部材を上記中方立部材の上記収納溝より出没させて、上記引き戸と上記中方立部材との隙間を調整するようにしたことを特徴としている。
【００１０】
次に、請求項２に記載の引き戸の中方立構造においては、上記隙間調整部材を、合成樹脂の押し出し成型品で形成し、上記長孔は、上記隙間調整部材を打ち抜いて形成されている。
【００１１】
また、請求項３に記載の引き戸の中方立構造においては、上記隙間調整部材は、横断面が略Ｔ字状に成型され、この略Ｔ字状の横辺の中央にモヘアが形成され、縦辺に上記長孔が形成されている。
【００１２】
さらに、請求項４に記載の引き戸の中方立構造においては、上記隙間調整部材は、それぞれ合成樹脂からなるモヘアと調整部材ベースとを備え、これらモヘアと調整部材ベースとが一体成型されている。
【００１３】
また、請求項５に記載の引き戸の中方立構造においては、上記回動調節部材は、ドライバーの先端に係合可能なネジ頭を備え、ドライバーなどの冶具で回動させて出没させる構造にしている。
【発明の効果】
【００１４】
請求項１に記載の引き戸の中方立構造によれば、中方立部材には、隙間調整部材を出没可能に収納する収納溝と、隙間調整部材に形成された長孔のラック部に対応した挿入孔とを形成するだけでよいので、加工が容易であり、製造コストを低減することができる。
【００１５】
特に、ピニオン部とラック部とを介して隙間調整部材を駆動するので、小さな径の回動調節部材により小さなトルクで広い範囲に隙間調整部材を動かすことができる。
【００１６】
次に、請求項２に記載の引き戸の中方立構造によれば、合成樹脂の押し出し成型品である隙間調整部材に長孔を打ち抜き形成するだけで構成できるので、製造コストを低減することができる。
【００１７】
また、請求項３に記載の引き戸の中方立構造によれば、隙間調整部材が横断面が略Ｔ字状に成型され、この略Ｔ字状の横辺の中央にモヘアが形成されているので、隙間調整部材により収納溝にかかる力が左右対称となる。そのため、隙間調整部材が引例１のようなＬ字型の場合と異なり、隙間調整部材が中方立部材に対して傾いたり、がたついたりすることがない。
【００１８】
さらに、請求項４に記載の引き戸の中方立構造によれば、隙間調整部材のモヘアと調整部材ベースとが、それぞれ合成樹脂からなるので、一体成型が容易であり、このように隙間調整部材を一体成型することにより、部品点数が少なくなり、製造コストを低減することができる。
【００１９】
また、請求項５に記載の引き戸の中方立構造によれば、回動調節部材のネジ頭にドライバーの先端を係合させて回動調節部材を回動させることができるので回動調節部材を回動させるために大きな径の操作部を設ける必要がなく操作も簡単である。
【発明を実施するための最良の形態】
【００２０】
以下、添付図面を参照しながら本発明の好ましい実施の一形態について説明する。図１は、本発明の実施形態の引き戸の中方立構造１を示す斜視図であり、図２は、図１のＡ−Ａ線断面図である。また、図３は中方立構造１の分解図であり、（ａ）は、平面図、（ｂ）は、要部側面図をそれぞれ示している。
【００２１】
図１と図２とを参照して説明すると、引き戸の中方立構造１は、引き戸枠４の中間部で上下方向に配設された中方立部材５と、この中方立部材５と引き戸３との間の隙間を調節する隙間調整部材６とを備えている。
【００２２】
上記建物は、本実施形態では一例として一般の住宅を、また、壁部２は、木造モルタル構造を想定し、引き戸枠４は、左右の壁部２、２に挟まれるようにして設置されているが、そのようなものには限らない。
【００２３】
引き戸３は、図１において、左右方向にスライドする戸であり、図２に示すように、後述する引き戸レールをなす下部ガイド溝４ｃに案内される戸車３ａが下部に設けられている。
【００２４】
引き戸枠４は、引き戸３をスライド可能に保持する概ね矩形の枠構造であり、それぞれ木製の基台枠４１、上枠４２枠、左右の縦枠４３、４４を備えている。この引き戸枠４は、引き戸レールとなるアルミ合金の下部ガイド溝４ｃを形成した基台枠４１の両端に左右の縦枠４３、４４を立設し、その上方に上枠４２を取り付けた構造となっており、図例では左側に開口部４ａが設けられている。
【００２５】
そして、この引き戸枠４には、上部内側面に上部ガイド溝４ｂと、下部内側面に下部ガイド溝４ｃとが設けられており、これら上部ガイド溝４ｂと、下部ガイド溝４ｃとに案内される状態で戸車３ａを備えた引き戸３が左右にスライド可能となるように引き戸枠４に保持されている。
【００２６】
中方立部材５は、引き戸枠４の開口部４ａと壁部２ａとの仕切り部分に位置する引き戸枠４の中間部に、上下方向に配設され、引き戸枠４と同様に木製の部材で構成され、引き戸枠４と一体となるように設けられている。また、この中方立部材５には、図３に示すように、引き戸３に対向する側を開口させた収納溝５ａが上下方向に沿って形成され、この収納溝５ａには、隙間調整部材６が後述するように出没可能に収納されている。
【００２７】
隙間調整部材６は、図３に示すように、それぞれ合成樹脂からなるブラシ状のモヘア６ａとモヘア６ａを保持する調整部材ベース６ｂとを備えており、これらモヘア６ａと調整部材ベース６ｂとが合成樹脂の押し出し成型品として一体成型されて、全体として横断面が略Ｔ字状に成型されている。すなわち、この隙間調整部材６は、略Ｔ字状の横辺の中央にモヘア６ａが形成され、調整部材ベース６ｂの縦辺に隙間調整部材６を打ち抜く状態で長孔６ｃが形成され、この長孔６ｃには、規則正しいピッチでのこぎり状の凹凸部を連続して形成したラック部６ｄが隙間調整部材６の出没方向に沿って形成されている。
【００２８】
一方の中方立部材５には、隙間調整部材６の長孔６ｃに対応した挿入孔５ｂが形成され、挿入孔５ｂには長孔６ｃに挿通されて長孔６ｃのラック部６ｄに噛合するピニオン部７ａを有する回動調節部材７が設けられている。この回動調節部材７は、合成樹脂で一体成型されたものであり、挿入孔５ｂの底部に設けられた内部がやや拡径した抜け止め孔５ｃに嵌め合わされる抜け止め突起７ｂを挿入孔５ｂ側の先端に有している。この抜け止め突起７ｂを抜け止め孔５ｃに弾性変形させて押し込むことにより、回動調節部材７が外側に脱落しないように挿入孔５ｂに取り付けられる。
【００２９】
また、この回動調節部材７には、ドライバー８（図２）の先端に係合可能なネジ頭７ｃが設けられ、このドライバー８により、回動させることができるようになっている。図示例では、ドライバー８としてマイナスドライバーが採用され、ネジ頭７ｃはこのマイナスドライバーの先端に係合させる溝部を形成しているが、ネジ頭７ｃにプラスドライバーの先端に係合させる溝部を形成してもよい。また、回動調節部材７のネジ頭７ｃは、必ずしも必須ではなく、例えば回動調節部材７を蝶ネジで構成するなどしてドライバー８を用いない状態で回動させることができるようにしてもよい。
【００３０】
次に図４と図５とを参照して、本発明の実施の形態に係る引き戸の中方立構造１の作用について説明する。図４は、中方立構造１において隙間調整部材６が中方立部材５の収納溝５ａに没入した状態を示す説明図であり、（ａ）は、平面図、（ｂ）は、要部側面図をそれぞれ示している。また、図５は、中方立構造１において隙間調整部材６が中方立部材５の収納溝５ａより突出した状態を示す説明図であり、（ａ）は、平面図、（ｂ）は、要部側面図をそれぞれ示している。
【００３１】
図４に示すように、本発明の実施の形態に係る引き戸の中方立構造１においては、回動調節部材７を回動させて隙間調整部材６を中方立部材５の収納溝５ａに没入させることにより、隙間調整部材６を引き戸３から離脱させる。
【００３２】
また、図５に示すように、回動調節部材７を回動させて隙間調整部材６を中方立部材５の収納溝５ａより突出させることにより、隙間調整部材６を引き戸３に接近させる。
【００３３】
このようにして、挿入孔５ｂに挿入した回動調節部材７を回動させることにより、隙間調整部材６を中方立部材５の収納溝５ａより出没させて、引き戸３と中方立部材５との隙間を調整することができる。
【００３４】
以上説明したように、本発明の実施の形態に係る引き戸の中方立構造１によれば、中方立部材５には、隙間調整部材６を出没可能に収納する収納溝５ａと、隙間調整部材６に形成された長孔６ｃのラック部６ｄに対応した挿入孔５ｂとを形成するだけでよいので、加工が容易であり、製造コストを低減することができる。
【００３５】
特に、ピニオン部７ａとラック部６ｄとを介して隙間調整部材６を駆動するので、小さな径の回動調節部材７により小さなトルクで広い範囲に隙間調整部材６を動かすことができるようになる。
【００３６】
また、合成樹脂の押し出し成型品である隙間調整部材６を打ち抜く加工は容易なので、製造コストを低減することができる。
【００３７】
また、隙間調整部材６が略Ｔ字状に成型され、この略Ｔ字状の横辺の中央にモヘア６ａが形成したものでは、隙間調整部材６により収納溝５ａにかかる力が左右対称となり。そのため、隙間調整部材６が引例１のようにＬ字型の場合と異なり、隙間調整部材６が中方立部材５に対して傾いたり、がたついたりすることがなくなる。
【００３８】
さらに、隙間調整部材６のモヘア６ａと調整部材ベース６ｂとが、それぞれ合成樹脂からなるので、一体成型が容易であり、このように隙間調整部材６を一体成型することにより、部品点数が少なくなり、製造コストを低減することができるようになる。
【００３９】
また、回動調節部材７のネジ頭７ｃにドライバー８の先端を係合させて回動調節部材７を回動させることができるので回動調節部材７を回動させるために大きな径の操作部を設ける必要がなくなる。
【００４０】
上述した実施の形態は本発明の好ましい具体例を例示したものに過ぎず、本発明は上述した実施の形態に限定されない。
【００４１】
例えば、建物は、本実施形態では一例として一般の住宅を、また、壁２も木造モルタル構造を想定したが、建物は、オフィスビルなど、さまざまな建物に適用可能であり、また、壁２も鉄筋コンクリートなどの構造にも適用可能である。
【００４２】
引き戸枠４は、引き戸３をスライド可能に保持する枠構造であれば、種々の形状に形成されたものが適用可能である。また、中方立部材５も含めて材質は、木製の部材に限定されない。例えば、アルミ合金など軽量金属で構成されたものも採用可能である。
【００４３】
また、引き戸３は、必ずしも下部ガイド溝４ｃに案内される戸車３ａによりスライド可能となるように設けられたものに限らない。例えば単に上部ガイド溝４ｂと、下部ガイド溝４ｃとに案内される状態でスライド可能となるように設けられたものなど種々の設計変更が可能である。
【００４４】
隙間調整部材６は、それぞれ合成樹脂からなるモヘア６ａと調整部材ベース６ｂとを備えたものに限らず、例えば調整部材ベース６ｂはアルミ合金の押し出し成型品で構成してもよい。
【００４５】
また、回動調節部材７の抜け止めは、必ずしも抜け止め孔５ｃと抜け止め突起７ｂとの嵌め合いによるものに限定されない。例えば挿入孔５ｂと反対側から中方立部材５に取り付けられた抜け止めネジ等により回動調節部材７を挿入孔５ｂに取り付けて外側に脱落しないようにしてもよい。
【００４６】
その他、本発明の特許請求の範囲内で種々の設計変更が可能である。
【図面の簡単な説明】
【００４７】
【図１】本発明の引き戸の中方立構造の一例を示す斜視図である。
【図２】図１のＡ−Ａ線断面図である。
【図３】中方立構造の分解図であり、（ａ）は平面図、（ｂ）は要部側面図をそれぞれ示している。
【図４】隙間調整部材を中方立部材の収納溝に没入させた状態を示す説明図であり、（ａ）は平面図、（ｂ）は要部側面図をそれぞれ示している。
【図５】隙間調整部材を中方立部材の収納溝より突出させた状態を示す説明図であり、（ａ）は平面図、（ｂ）は要部側面図をそれぞれ示している。
【符号の説明】
【００４８】
１    引き戸の中方立構造
３    引き戸
４    引き戸枠
５    中方立部材
５ａ  収納溝
５ｂ  挿入孔
６    隙間調整部材
６ａ  モヘア
６ｂ  調整部材ベース
６ｃ  長孔
６ｄ  ラック部
７    回動調節部材
７ａ  ピニオン部
７ｃ  ネジ頭
８    ドライバー
【図１】
2009127321.tif 000003
【図２】
2009127321.tif 000004
【図３】
2009127321.tif 000005
【図４】
2009127321.tif 000006
【図５】
2009127321.tif 000007